(57)【要約】【課題】作業者の変更があった場合において、簡易かつ適切に作業者の配置を決定できる。【解決手段】作業者配置情報と日程情報と工程担当情報と作業者経験情報とを記憶する記憶部１と、作業者の変更の有無を判定する判定部２１と、作業者の変更があると判定された工程の担当が可能な作業者を選出する選出部２３と、選出された複数の作業者の適性を評価する評価部２４と、適性が高いと評価された順に作業者を並べ替えて表示する表示部４１と、を有する。【選択図】図１
2011100225.tif 000002
【特許請求の範囲】
【請求項１】
複数の工程を有するラインにおいて、該複数の工程それぞれに複数の作業者を配置する要員配置システムであって、
所定の日程における前記複数の工程の作業者の配置に関する作業者配置情報と、前記所定の日程における前記複数の作業者の勤務に関する日程情報と、前記複数の作業者それぞれにおける正規担当工程及び担当可能工程に関する工程担当情報と、前記複数の作業者それぞれにおける前記複数の工程それぞれの作業経験に関する作業者経験情報と、を記憶する記憶手段と、
前記所定の日程における前記作業者配置情報の作業者の変更の有無を判定する判定手段と、
前記判定手段により作業者の変更があると判定された場合に、該作業者の変更があると判定された工程の担当が可能な作業者を前記記憶手段に基づいて選出する選出手段と、
前記選出手段により複数の作業者が選出された場合に、該選出された複数の作業者の適性を評価する評価手段と、
前記評価手段により適性が高いと評価された順に作業者を並べて表示する表示手段と、を有することを特徴とする要員配置システム。
【請求項２】
前記表示手段に表示された複数の作業者の中から所定の作業者を選択した場合に、該所定の作業者を、前記作業者の変更があると判定された工程の作業者とするように前記作業者配置情報を変更する変更手段を更に有し、
前記表示手段は、前記変更手段により変更された前記作業者配置情報に基づいて、前記ラインにおける前記複数の工程それぞれの位置関係を表示することを特徴とする請求項１に記載の要員配置システム。
【請求項３】
前記表示手段は、前記変更手段により作業者が変更された場合に、該作業者が変更された工程と作業者が変更されていない工程とを異なる表示になるように表示することを特徴とする請求項２に記載の要員配置システム。
【請求項４】
前記表示手段は、複数の各工程において正規担当工程を有する作業者と担当可能工程を有する作業者である代理作業者とを一覧表示する機能を有することを特徴とする請求項１に記載の要員配置システム。
【請求項５】
前記記憶手段は、各作業者の各工程毎の製品の品質情報を記憶していることを特徴とする請求項１に記載の要員配置システム。
【請求項６】
前記記憶手段は、各作業者に支払う給与に関連した情報を記憶していることを特徴とする請求項１に記載の要員配置システム。
【発明の詳細な説明】
【技術分野】
【０００１】
本発明は、複数の工程に作業者を配置する要員配置システムに関する。
【背景技術】
【０００２】
従来、複数の要員（作業者）を複数の職務（作業）に割り当てる要員配置システムが提案されている。この要員配置システムにおいては、作業者の作業を遂行する能力を基にして、作業者の配置を行っている。
【発明の概要】
【発明が解決しようとする課題】
【０００３】
上述した要員配置システムにおいては、例えば、有給休暇やその他の事情により作業者の変更がある場合についての考慮はなく、仮に作業者の変更ある場合には、出勤可能な作業者の中から、作業者の能力に基づいて、再度最適な作業者を決定し、再配置を行う。そのため、要員配置システムにおいては、例えば、１名の作業者の変更があった場合でも、複数の作業者全員の能力に基づいて複数の作業者の再配置を行うため、作業者の再配置に係る処理が複雑になるという問題があった。
【０００４】
従って、本発明は、作業者の変更があった場合において、簡易かつ適切に配置する作業者を決定できる要員配置システムを提供することを目的とする。
【課題を解決するための手段】
【０００５】
本発明は、複数の工程を有するラインにおいて、該複数の工程それぞれに複数の作業者を配置する要員配置システムであって、所定の日程における前記複数の工程の作業者の配置に関する作業者配置情報と、前記所定の日程における前記複数の作業者の勤務に関する日程情報と、前記複数の作業者それぞれにおける正規担当工程及び担当可能工程に関する工程担当情報と、前記複数の作業者それぞれにおける前記複数の工程それぞれの作業経験に関する作業者経験情報と、を記憶する記憶手段と、前記所定の日程における前記作業者配置情報の作業者の変更の有無を判定する判定手段と、前記判定手段により作業者の変更があると判定された場合に、該作業者の変更があると判定された工程の担当が可能な作業者を前記記憶手段に基づいて選出する選出手段と、前記選出手段により複数の作業者が選出された場合に、該選出された複数の作業者の適性を評価する評価手段と、前記評価手段により適性が高いと評価された順に作業者を並べて表示する表示手段と、を有することを特徴とする要員配置システムに関する。
【０００６】
また、要員配置システムは、前記表示手段に表示された複数の作業者の中から所定の作業者を選択した場合に、該所定の作業者を、前記作業者の変更があると判定された工程の作業者とするように前記作業者配置情報を変更する変更手段を更に有し、前記表示手段は、前記変更手段により変更された前記作業者配置情報に基づいて、前記ラインにおける前記複数の工程それぞれの位置関係を表示することを特徴とすることが好ましい。
【０００７】
また、要員配置システムは、前記表示手段は、前記変更手段により作業者が変更された場合に、該作業者が変更された工程と作業者が変更されていない工程とを異なる表示になるように表示することを特徴とすることが好ましい。
【０００８】
また、要員配置システムは、前記表示手段は、複数の各工程において正規担当工程を有する作業者と担当可能工程を有する作業者である代理作業者とを一覧表示する機能を有することを特徴とすることが好ましい。
【０００９】
また、要員配置システムは、前記記憶手段は、各作業者の各工程毎の製品の品質情報を記憶していることを特徴とすることが好ましい。
【００１０】
また、要員配置システムは、前記記憶手段は、各作業者に支払う給与に関連した情報を記憶していることを特徴とすることが好ましい。
【発明の効果】
【００１１】
本発明によれば、作業者の変更があった場合において、簡易かつ適切に配置する作業者を決定できる。
【図面の簡単な説明】
【００１２】
【図１】本発明の機能を示す機能ブロック図である。
【図２】記憶部を構成する各種情報ＤＢを示す図である。
【図３】有休者があった日程の工程表を示す図である。
【図４】作業者変更後の工程表を示す図である。
【図５】レイアウト表示をした工程表を示す図である。
【図６】作業者名から工程名に表示を変更した状態のレイアウト表示をした工程表を示す図である。
【図７】作業者配置方法を示すフローチャート図である。
【発明を実施するための形態】
【００１３】
以下、本発明の要員配置システムＳについて、図面を参照しながら説明する。図１は、本発明の要員配置システムＳの機能を示す機能ブロック図である。図２は、記憶部１を構成する各種情報ＤＢを示す図である。
【００１４】
本実施形態の要員配置システムＳは、複数の工程からなる車両の生産を行うラインにおいて、作業者の情報に基づいて複数の工程それぞれに作業者を配置した工程表を作成するシステムである。
【００１５】
本実施形態において、「工程者」とは、所定の日程において工程への割り当てが行われている者をいう。また、「正工程（正規担当工程）」とは、作業者が正規に担当する工程である。また、「担当可能工程」とは、作業者が担当することができる工程である。また、「正工程者（正規工程者）」とは、特定の工程において正工程を持っている作業者（正規に特定の工程を担当する作業者）をいう。また、「担当可能者（代理作業者）」とは、特定の工程を担当することが可能な作業者をいう。また、「候補工程者」とは、所定の日程において特定の工程への担当が可能な作業者をいう。
【００１６】
要員配置システムＳは、本実施形態においては、コンピュータ及びその周辺装置に適用される。また、要員配置システムＳにおける各部（各手段）は、コンピュータ及びその周辺装置が備えるハードウェア並びにこのハードウェアを制御するソフトウェアによって構成される。
【００１７】
また、ハードウェアには、図１に示すように、記憶部１（記憶手段）、制御部２（制御手段）としてのＣＰＵ（Ｃｅｎｔｒａｌ  Ｐｒｏｃｅｓｓｉｎｇ  Ｕｎｉｔ）の他、入力部３（入力手段）及び出力部４（出力手段）が含まれる。
【００１８】
記憶部１としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。
【００１９】
また、記憶部１は、図２に示すように、各種ＤＢ（データベースを以下、ＤＢという。）（日程情報ＤＢ５１、工程訓練情報ＤＢ５２、品質情報ＤＢ５３、ＢＯＤＹ情報ＤＢ５４、工程実績情報ＤＢ５５及び工程配置情報ＤＢ５６、人事情報ＤＢ５７）を有する。
【００２０】
以下、各種ＤＢについて図２を参照しながら、詳述する。
日程情報ＤＢ５０には、日程情報が記憶される。日程情報とは、所定の日程におけるそれぞれの作業者の勤務に関する情報、つまり、所定の日程でのそれぞれの作業者の勤務可能日及び有休取得日についての情報である。日程情報は、具体的には、組織名・作業者の名前・有休取得日・勤務可能日を項目として管理される。
【００２１】
工程訓練情報ＤＢ５２には、工程担当情報が記憶される。工程担当情報とは、複数の作業者それぞれにおける正規担当工程及び担当可能工程に関する情報、つまり、作業者それぞれについての正規担当工程の有無及び工程名、並びに担当可能工程の有無及び工程名についての情報である。工程担当情報は、具体的には、組織名・作業者の名前・正工程名・担当可能工程を項目として管理される。
【００２２】
品質情報ＤＢ５３には、品質情報が記憶される。品質情報とは、ラインにおいて過去に生産した製品の品質に関する情報であり、完成した製品の品質のみならず、生産途中の各工程での製品の品質も含む情報である。品質情報は、具体的には、主に、組織・名前・生産機種（生産車種）等を項目として管理される。
【００２３】
ＢＯＤＹ情報ＤＢ５４には、ＢＯＤＹ情報が記憶される。ＢＯＤＹ情報とは、所定のラインでの車体の組み立てに必要な工程の種類や車体の生産量等に関する情報である。ＢＯＤＹ情報は、具体的には、組織・工程名・工程配置・ＢＯＤＹ数を項目として管理される。
【００２４】
工程実績情報ＤＢ５５には、作業者経験情報となる工程実績情報が記憶される。工程実績情報とは、複数の作業者それぞれにおける複数の工程それぞれの作業経験（本実施形態においては、所定の工程に従事した日数）に関する情報である。工程実績情報は、具体的には、組織・工程名・作業者の名前・経験日数を項目として管理される。
【００２５】
工程配置情報ＤＢ５６には、工程配置情報が記憶される。工程配置情報とは、所定の日程におけるそれぞれの工程の作業者の配置に関する情報、つまり、所定の日程における作業者それぞれが担当する工程についての情報である。工程配置情報とは、具体的には、組織・工程者・配置日程を項目として管理される。本実施形態においては、工程配置情報には、所定の日程において、作業者の正工程の情報を基にして決定された作業者の工程配置に関する情報が含まれる。
【００２６】
人事情報ＤＢ５７には、人事情報が記憶される。人事情報とは、給与を含めた作業者の労務に関する情報である。人事情報は、具体的には、組織、名前、給与等を項目として管理される。
【００２７】
上述した各種ＤＢ（日程情報ＤＢ５１、工程訓練情報ＤＢ５２、品質情報ＤＢ５３、ＢＯＤＹ情報ＤＢ５４、工程実績情報ＤＢ５５及び工程配置情報ＤＢ５６、人事情報ＤＢ５７）は、各種ＤＢの情報が互いに関連付けられて記憶されており、例えば、所定の作業者の情報を抽出する場合には関連する情報が各種ＤＢから抽出可能に構成され、所定の情報に変更が生じた場合には各種ＤＢの対応する項目が変更されるように構成される。
【００２８】
入力部３における操作部３１としては、例えば、キーボード及びポインティング・デバイス（マウス、トラッキングボール等）が挙げられる。
【００２９】
出力部４における表示部４１としては、例えば、液晶ディスプレイ、プラズマディスプレイ等の各種ディスプレイが挙げられる。
【００３０】
なお、上述したソフトウェアには、ハードウェアを制御するコンピュータ・プログラムやデータが含まれる。コンピュータ・プログラムやデータは、記憶部１により記憶され、制御部２により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００３１】
以上のように構成される要員配置システムＳにおいては、作業者の変更があった場合において、簡易かつ適切に作業者の配置を決定できる機能を有している。
【００３２】
ここで、上述した機能を発揮するための構成について、図１から図６を用いて説明する。
要員配置システムＳにおいて、制御部２は、判定部２１（判定手段）と、判別部２２（判別手段）と、選出部２３（選出手段）と、評価部２４（評価手段）と、認識部２５（認識手段）と、を備えて構成される。
【００３３】
判定部２１は、所定の日程における作業者の変更の有無を判定する。具体的には、判定部２１は、工程配置情報ＤＢ５６の作業者配置情報に変更があるか否か（例えば、所定の工程において作業者の欠員があるか否か）を判定する。
【００３４】
判別部２２は、判定部２１により作業者の変更があると判定された場合に、作業者の変更があると判定された工程における複数の作業者それぞれの正規担当工程の有無を、工程訓練情報ＤＢ５２の工程担当情報に基づいて判別する。具体的には、判別部２２は、複数の作業者の中に、作業者の変更があると判定された工程（作業者の欠員が出た工程）を正規担当工程とする作業者がいるかを判別する。
【００３５】
選出部２３は、判定部２１により作業者の変更があると判定された場合に、該作業者の変更があると判定された工程の担当が可能な作業者を記憶部１に基づいて選出可能に構成される。
また、選出部２３は、本実施形態においては、判別部２２により、作業者の変更があると判定された工程において正規担当工程を有する作業者がいないと判別された場合に、作業者の変更があると判定された工程の担当が可能な作業者を、工程訓練情報ＤＢ５２の工程担当情報に基づいて選出する。具体的には、選出部２３は、複数の作業者の中から作業者の変更があると判定された工程（作業者の欠員が出た工程）を担当可能な作業者を選出する。
【００３６】
評価部２４は、選出部２３により複数の作業者が選出された場合に、該選出された複数の作業者の適性を評価可能に構成される。
作業者の適性とは、正工程や担当可能工程等の作業に関する能力の情報や出勤日等の勤務に関する情報を総合的に判断して決定される要素であればよく、各種ＤＢの情報に基づいて、評価（各作業者の識別、格付け及び順位付け）ができる要素であればよい。
また、評価部２４は、本実施形態においては、選出部２３により複数の作業者が選出された場合に、選出された複数の作業者を工程実績情報ＤＢ５５の作業者経験情報に基づいて評価する。具体的には、選出された複数の作業者を、作業者の変更があると判定された工程における経験日数の長い順に順位付ける。
【００３７】
認識部２５は、選出部２３により複数の作業者が選出された場合に、選出された複数の作業者における作業者の変更があると判定された工程以外での正規担当工程の有無を、工程訓練情報ＤＢ５２の工程担当情報に基づいて認識する。
【００３８】
また、要員配置システムＳにおいて、表示部４１は、選出部２３により選出された複数の作業者を、評価部２４による評価に従って配列させるように表示すると共に、認識部２５により作業者の変更があると判定された工程以外に正規担当工程を有すると認識された作業者を識別可能に表示する。
【００３９】
本実施形態において表示部４１は、図３に示すように、所定の工程において、経験日数の長い順に作業者を配置して表示する（図３中、反転表示される作業者「Ｈ」が配置される工程において、工程に関しての経験日数の長い順に作業者「Ｇ」、作業者「Ｉ」及び作業者「Ｒ」の順で表示される。）。そして、表示部４１は、図３に示すように、所定の工程において、工程以外に正規担当工程を有すると認識された作業者を識別可能な表示となる点描により表示する（図３中、反転表示される作業者「Ｈ」が配置される工程以外に正規担当工程を有すると認識された作業者「Ｇ」及び作業者「Ｉ」は、点描により表示される。）。
【００４０】
このように、本実施形態の要員配置システムＳにおいては、判定部２１により作業者の変更があると判定された場合に、この作業者の変更があると判定された工程を担当可能な複数の作業者を、評価部２４による評価に従って経験順に配列させるように表示すると共に、認識部２５により作業者の変更があると判定された工程以外に正規担当工程を有すると認識された作業者を識別可能に表示する。これにより、所定の工程において作業者の変更があった場合において、簡易かつ適切に配置する作業者を決定できる。
【００４１】
また、要員配置システムＳにおいては、判定部２１により、所定の日程における作業者の変更の有無が判定され、この作業者の変更があると判定された工程に配置する作業者のみを変更する。これにより、作業者の変更がない工程を担当する作業者が当初の予定通りに配置された作業を行うことができるので、作業工程変更に伴う負担を作業者にかけない。
【００４２】
また、要員配置システムＳにおいては、作業者の変更があると判定された工程で交代可能な作業者の候補を経験に従って表示すると共に、作業者の変更がある工程以外で正工程者（正規担当工程者）となる作業者が識別表示される。これにより、要員配置システムＳにおいては、作業者の経験等を考慮されて表示がされるために、表示を見た管理者等は、候補者の選択が容易となる。
【００４３】
また、要員配置システムＳにおいて、制御部２には、さらに、変更部２６（変更手段）を有する。
この変更部２６は、表示部４１に表示された複数の作業者の中から所定の作業者を選択した場合に、所定の作業者を、作業者の変更があると判定された工程の作業者とするように工程配置情報ＤＢ５６の作業者配置情報を変更する。
本実施形態において、変更部２６は、図４に示すように、複数表示される候補工程者の中で、太枠で表示される候補工程者の作業者「Ｒ」を選択し、工程者を作業者「Ｈ」から作業者「Ｒ」に変更する。
【００４４】
また、要員配置システムＳにおいて、表示部４１は、変更部２６により変更された工程配置情報ＤＢ５６（作業者配置情報）に基づいて、ラインにおける複数の工程それぞれの位置関係を表示する。
本実施形態において、表示部４１は、図４での工程者の変更が反映された工程表に基づいて、図５に示すように、実際のラインの状況を模式的に示した表示をする。
【００４５】
したがって、要員配置システムＳにおいては、表示部４１により、作業者の変更後のデータが反映されて、ラインにおける複数の工程それぞれの位置関係が表示されるために、管理者や作業者等は、作業者の変更を直感的に知ることができる。
また、要員配置システムＳでは、生産現場のリーダーにとって、作業者の配置（要員レイアウト）を決定するまでのマネージメント支援を行うことができる。
【００４６】
また、要員配置システムＳにおいて、表示部４１は、変更部２６により作業者が変更された場合には、作業者が変更された工程と作業者が変更されていない工程とを異なる表示になるように表示する。
本実施形態においては、表示部４１は、図５及び図６に示すように、変更した作業者を他の作業者とは異なる反転表示により表示する。なお、異なる表示とは、作業者が変更された工程と作業者が変更されていない工程とを識別できればよく、例えば、色分けや書式の変更等によっても行うことができる。
【００４７】
このように、要員配置システムＳにおいては、例えば、作業者が変更された工程と作業者が変更されていない工程の作業者を表示の色を変化させることにより、変更箇所への認識を容易化できる。変更箇所への認識を容易化できるため、他の作業者や他の組織等とも容易に情報を共有できるようになる。
【００４８】
また、要員配置システムＳにおいて、表示部４１では、複数の各工程において正規担当工程を有する作業者（正工程者）と担当可能工程を有する作業者である代理作業者（担当可能者）とを一覧表示する機能を有する。
このように構成される要員配置システムＳにおいては、正工程者と担当可能者が一覧で表示されるために、各工程において、交代可能な作業者（代理）が何人いるか容易に把握できる。このため、要員配置システムＳにおいては、各工程における代理の作業者の人数を容易に把握することができ、例えば、代理の作業者の数が少ない工程においては、担当可能な作業者の育成の必要性を容易に識別することができる。その結果、現場生産のリーダー等は、当該工程における作業者を育成する等の人材育成のプランニングに役立てることができる。
また、要員配置システムＳにおいては、作業者の担当可能な工程の把握が容易であるため、例えば、複数の工程を担当可能な作業者を容易に識別することができる。その結果、現場生産のリーダー等は、人材の適性の評価や人材の人事面での評価の支援に役立てることができる。
【００４９】
なお、記憶部１は、各作業者の各工程毎の製品の品質情報（本実施形態においては、品質情報ＤＢ５３の品質情報を記憶している。このため、要員配置システムＳにおいては、品質情報に基づいて、配置を決定することができる。その結果、要員配置システムＳを利用することにより、例えば、高い評価を得ている作業者を優先的に配置することで、製品の品質を優先した要員レイアウトが可能になる。
【００５０】
また、記憶部１は、各作業者に支払う給与に関連した情報（本実施形態においては、人事情報ＤＢ５７の給与の情報）を記憶している。このため、要員配置システムＳにおいては、各作業者の給与情報を利用した作業者の配置を提案できる。この結果、要員配置システムＳを利用することにより、例えば、給与を考慮して安価な配置を決定することができ、ラインの労務費を含めたコストを管理できる。
【００５１】
次に、本実施形態における作業者配置方法について、図７を参照しながら説明する。
【００５２】
図７に示すように、ステップＳＴ１においては、制御部２は、記憶部１に記憶された各種の情報のデータを取得して、ステップＳＴ２に進む。具体的には、制御部２は、日程情報ＤＢ５１に記憶された日程情報、工程訓練情報ＤＢ５２に記憶された工程訓練情報、品質情報ＤＢ５３に記憶された日程情報、ＢＯＤＹ情報ＤＢ５４に記憶されたＢＯＤＹ情報、工程実績情報ＤＢ５５に記憶された工程実績情報、及び工程配置情報ＤＢ５６に記憶された工程配置情報を取得する。
【００５３】
ステップＳＴ２においては、表示部４１は、日程情報ＤＢに記憶された日程情報に基づいて決定された所定の日程における複数の正工程者の名前と、これら複数の正工程者それぞれが配置される複数の工程の名称を表示して、ステップＳＴ３に進む。具体的には、表示部４１は、例えば、図３に示すように、元工程者の欄に、所定の日程における複数の正工程者の名前を表示すると共に、工程名の欄に複数の正工程者それぞれが配置される工程の名称を表示する。
【００５４】
ステップＳＴ３においては、制御部２は、日程情報のうち有休取得日の情報のデータ（有休データ）を取得して、この取得した有休データに基づいて、日程情報ＤＢ５１の日程情報を更新し、ステップＳＴ４に進む。本実施形態においては、○月×日の車種１における作業者「Ｈ」の有休についてのデータが取得される（図３参照）。
【００５５】
ステップＳＴ４においては、判定部２１は、工程配置情報ＤＢ５６の作業者配置情報に変更があると判定する。また、表示部４１は、ステップＳＴ３で取得された有休データに基づいて有休者を表示してステップＳＴ５に進む。例えば、表示部４１は、図３に示すように、○月×日の車種１における日程表において、工程８Ｒの工程者に変更があることを表示する。
【００５６】
ステップＳＴ５においては、判別部２２は、複数の作業者の中に、有休者が出た工程の正工程者がいるか否かを工程訓練情報ＤＢ５２に基づいて判別する。
判別部２２により有休者が出た工程の正工程者がいると判別された場合（Ｙｅｓ）には、ステップＳＴ６に進む。また、判別部２２により有休者が出た工程の正工程者がいないと判別された場合（Ｎｏ）には、ステップＳＴ７に進む。
なお、図３中において、○月×日に勤務している複数の作業者の中に有休者が出た工程（工程８Ｒ）の正工程者はいない。
【００５７】
ステップＳＴ６においては、制御部２は、有休者が出た工程の正工程者を工程者に決定して、ステップＳＴ１２に進む。
【００５８】
ステップＳＴ７においては、選出部２３は、工程訓練情報ＤＢ５２に記憶された工程担当情報に基づいて有休者が出た工程の候補工程者を選出してステップＳＴ８に進む。
【００５９】
ステップＳＴ８においては、判定部２１は、有休者が出た工程の候補工程者が複数いるか否かを判定する。判定部２１により候補工程者が複数いない（候補工程者が一人である）と判定された場合（Ｎｏ）には、ステップＳＴ９に進む。また、判定部２１により候補工程者が複数いると判定された場合（Ｙｅｓ）には、ステップＳＴ１０に進む。
【００６０】
ステップＳＴ９においては、制御部２は、候補工程者を工程者に決定して、ステップＳＴ１３に進む。
【００６１】
ステップＳＴ１０においては、表示部４１は、図３に示すように、評価部２４においての評価（経験日数の長さ）に基づいて、経験日数が長い順に候補工程者の欄に作業者を配列して表示し、ステップＳＴ１１に進む（図３中においては、工程８Ｒについて経験日数の長い順に、作業者「Ｇ」、作業者「Ｉ」及び作業者「Ｒ」である。）。
【００６２】
ステップＳＴ１１においては、認識部２５は、候補工程者として選出された複数の作業者について、正工程者を他に持っているかを工程訓練情報ＤＢ５２に記憶された工程担当情報に基づいて認識する。そして、表示部４１は、認識部２５によって認識された結果に基づいて他に正工程を持っている候補工程者を識別表示してステップＳＴ１２に進む。
なお、本実施形態においては、図３に示すように、他に正工程を持っている候補工程者を識別可能に表示するが、これに限られず、他に正工程を持っていない候補工程者を識別可能に表示してもよい。図３中においては、他に正工程を持っている候補工程者は、作業者「Ｇ」及び作業者「Ｉ」であり、他に正工程を持っていない候補工程者は、作業者「Ｒ」である。
【００６３】
ステップＳＴ１２においては、制御部２は、候補工程者の中から選択され入力部３により入力された作業者を工程者として決定し、ステップＳＴ１３に進む。
【００６４】
ステップＳＴ１３においては、変更後の工程表の表示を行い、ステップＳＴ１４に進む。具体的には、変更部２６は、ステップＳＴ１２で決定された候補工程者が工程者となるように工程配置情報ＤＢ５６を変更する。本実施形態においては、図４に示すように、変更された工程は反転して表示される。また、工程者の欄には、作業者「Ｒ」が表示される。
【００６５】
ステップＳＴ１４においては、表示部４１は、レイアウト表示を行い、処理を終了する。具体的には、操作部３１により、図４中において上部に示される「レイアウト表示」が操作されることにより、表示部４１は、レイアウト表示を行う。「レイアウト表示」とは、図５に示すように、実際のラインでの工程作業がされる場所に車両を配置して表現した模式図を用いて、各工程における工程者名を表示する表示である。
なお、図５中における反転表示されている箇所は、作業者の変更があった工程８Ｒである。
【００６６】
また、「レイアウト表示」においては、図６に示すように、工程者名に代えて、工程名を表示し、作業者の変更があった工程を識別可能に表示することもできる。なお、図６中における反転表示されている箇所は、作業者の変更があった工程８Ｒであり、工程８Ｒに表示される作業者「Ｈ」が反転表示される。
【００６７】
以上のように構成することにより要員配置システムＳは、作業者の変更があった場合において、簡易かつ適切に作業者の配置を決定できる。
【００６８】
以上、本発明に係る要員配置システムＳの好適な実施形態について説明したが、本発明に係る要員配置システムＳは、上述した実施形態に限定されることなく種々の形態で実施することができる。
【００６９】
例えば、本実施形態において、作業者経験情報となる工程実績情報ＤＢ５５は、経験日数により構成したがこれに限らない。即ち、工程実績情報ＤＢ５５を、他者からの評価、資格、習熟度等の特定の工程と作業者との係り合いに基づいて構成してもよい。
【００７０】
なお、本実施形態においては、図４に示すように、例えば、ラインにおいて車種１について生産する場合、つまり、１ラインにおいて１車種を生産する場合について説明したがこれに限られない。本発明は、例えば、複数の車種（機種）を同時に重複して生産するような、いわゆる、多機種混流生産方式にも適用可能である。
【符号の説明】
【００７１】
１      記憶部（記憶手段）
２１    判定部（判定手段）
２３    選出部（選出手段）
２４    評価部（評価手段）
２６    変更部（変更手段）
４１    表示部（表示手段）
Ｓ      要員配置システム
【図１】
2011100225.tif 000003
【図２】
2011100225.tif 000004
【図３】
2011100225.tif 000005
【図４】
2011100225.tif 000006
【図５】
2011100225.tif 000007
【図６】
2011100225.tif 000008
【図７】
2011100225.tif 000009